(57)【要約】      （修正有）【課題】既存のプライスカードを遮ることなくその上方で陳列棚前面に容易に装着され、装着状態のままでプライスカードの交換が行える陳列棚用カードホルダーを提供する。【解決手段】長方形状の板状本体２と、板状本体２の長手方向上縁に軟質合成樹脂製のヒンジ部５を介して回動自在に連接された長尺状のカード保持部６とを備えた陳列棚用カードホルダー１であって、板状本体２は、中央高さ位置に長手方向全幅に沿って設けられて陳列棚２０側に差し込まれるための下方領域３が画定される突条部４を有し、カード保持部６は、長手方向全幅にわたって上下端部でカードが挟み込まれる表側への折曲部７，８と、裏面の長手方向に沿って突設され、カード保持部６と対向する板状本体２との間で予め定められた開度角で間隔を保持するスペーサー９とを有し、スペーサー９による間隔保持状態にてカード保持部６の下縁が、板状本体２の突条部４と同程度以上の高さに位置するものとする。【選択図】図１
0003201130.tif 000002
【実用新案登録請求の範囲】
【請求項１】
下方領域が陳列棚側に差し込まれる長方形状の板状本体と、該板状本体の長手方向上縁に軟質合成樹脂製のヒンジ部を介してその長手方向上縁部が回動自在に連接された長尺状のカード保持部と、を備えた陳列棚用カードホルダーであって、
前記板状本体は、中央高さ位置に長手方向に沿って設けられて前記差し込みのための下方領域が画定される突条部を有し、
前記カード保持部は、長手方向の全幅にわたって上下端部でカードが挟み込まれる表側への折曲部と、裏面の長手方向に沿って突設され、カード保持部と対向する前記板状本体との間で予め定められた開度角で間隔を保持するスペーサーとを有し、
前記カード保持部は、前記スペーサーによる板状本体に対する間隔保持状態にて該カード保持部の下縁が、前記板状本体の突条部と同程度以上の高さに位置するものであることを特徴とする陳列棚用カードホルダー。
【請求項２】
下方領域が陳列棚側に差し込まれる長方形状の板状本体と、該板状本体の長手方向上縁に軟質合成樹脂製のヒンジ部を介してその長手方向上縁が回動自在に連接された長尺状のカード保持部と、を備えた陳列棚様カードホルダーであって、
前記板状本体は、中央高さ位置に長手方向に沿って設けられて前記差し込みのための下方領域が画定される突条部を有し、
前記カード保持部は、長手方向の全幅にわたって上下端部でカードが挟み込まれる表側への折曲部と、裏面の長手方向に沿って突設され、カード保持部と対向する前記板状本体との間で予め定められた開度角で間隔を保持するスペーサーとを有し、
前記カード保持部は、前記スペーサーによる板状本体に対する間隔保持状態にて該カード保持部の下端が、前記板状本体の突条部と同程度以上の高さに位置するものであり、
前記カード保持部と板状本体との開度角が５５〜６５°であることを特徴とする陳列棚用カードホルダー。
【考案の詳細な説明】
【技術分野】
【０００１】
本考案は、陳列棚の前面に装着され、商品の情報やメッセージを表記したポップカードを呈示するためのカードホルダーに関し、詳しくは、商品の価格を表記したプライスカードを遮ることなくその上方で呈示されるように装着されるものに関する。
【背景技術】
【０００２】
スーパーマーケットやコンビニエンスストア、ドラッグストアなどでは、通常、商品を陳列する棚の前面に、商品価格を表記したプライスカードが呈示されている。一般的に、陳列棚の前端面には、断面凹状で上辺縁と下辺縁が折り曲げられた係止部となるレール、所謂プライスレールが設けられており、また棚前端とプライスレールとの間に上方に開口する前端溝が形成されている。プライスカードは、このようなプライスレールに挿入保持されたり、前端溝に差し込まれた別のプライスカードホルダーに保持されて呈示されている。
【０００３】
プライスカードホルダーは、陳列棚の前端面の上下幅に相当するプライスレールの上下幅より大きいプライスカードで価格を表示したい場合に用いられている。陳列棚の前端溝には、転び止めと呼ばれる陳列商品の脱落を防止するストッパーとなる壁板が差し込まれる場合もあるが、この前端溝に係合して装着されるプライスカードホルダーの場合、プライスカードホルダーに壁板部を一体に設け、転び止めとしての機能を持たせたり、壁板を装着できる溝状の差し込み部が形成されているものもある。
【０００４】
また、価格が表記されたプライスカードだけでなく、メーカーからのメッセージや商品情報が表記された所謂ポップカードをプライスカードの近辺に呈示される場合も多くある。ポップカードは、プライスレールやプライスカードホルダーのプライスカードが保持されていない横領域等に呈示されることもあるが、必ずしも充分な面積が確保できるとは限らないため、プライスカードとは別にポップカード用のカードホルダーによって呈示されることが多くなっている。
【０００５】
このようなポップカード用のホルダーとして、既に様々なものが考えられている。例えば、棚取付部が前端溝に係合して陳列棚の前端面に装着され、棚取付部から前方に延びるアーム部の先端にポップカード等の表示体が保持される表示体取付部を備えたもの（特許文献１を参照）や、陳列棚前端のプライスレールの上下係止部間に取付板が係合され、取付板から前方に突出する嵌合片の先端に取り付けられたポップ支持具に、ポップカバーに保持されたポップカードが棚板に対して垂直方向に支持される構成のもの（特許文献２を参照）がある。
【０００６】
しかしながら、これらの構成のものは、棚板前端面が取付部によって塞がれるため、取付部も保持されるポップカードも比較的小さいものとなっていた。そこで、取付部が陳列棚の前端面を塞ぐことなく帯状の比較的大きなポップカードを呈示できるカードホルダーも考えられている。
【０００７】
例えば、陳列棚の前端面に取り付けられた別のプライスカードホルダーに装着されるものがある。これは、陳列棚の前端溝やプライスレールに係合されたプライスカードホルダーの取付部に形成されている溝状の差し込み部を利用するものであり、該差し込み部に差し込まれる保持手段としての保持用板部材の上端縁に軟質のヒンジ部を介して透明合成樹脂製のホルダー本体の背面板がその上端縁で連設されているものである（特許文献３、４を参照）。
【０００８】
この場合、ポップカードは、ホルダー本体の背面板と重ね合わされている正面板との間にポップカードが挿入されて呈示される。通常、ホルダー本体がプライスカードホルダーの前方に垂れてプライスカードを覆う状態となるが、ヒンジ部の柔軟性によってホルダー本体を上下に自由に回動できるため、めくりあげて下側のプライスカードを露呈することができる。また、ポップカードの無い領域で透明なホルダーの上から視認できる。このようなカードホルダーにより、情報量の多い比較的大きな帯状カードを呈示することができる。
【先行技術文献】
【特許文献】
【０００９】
【特許文献１】特開２００７−１１４２５０号公報
【特許文献２】特開平８−１４６８７８号公報
【特許文献３】特開平９−２６５２５６号公報
【特許文献４】特開２００１−２５８６９８号公報
【考案の概要】
【考案が解決しようとする課題】
【００１０】
しかしながら、上記のようなプライスカードの前方で垂れて覆うタイプのカードホルダーの場合、下のプライスカードを確かめるためにカード保持部をめくりあげるのは消費者にとって面倒である。
【００１１】
また、このようなカードホルダーでは、比較的大きなカードが呈示できるため、結局価格とポップとを同時に表記する使用法となってしまう。この場合、セール等による価格の表記を変更する際に煩雑な作業となってしまう。
【００１２】
本考案の目的は、上記問題点に鑑み、既存のプライスカードを遮ることなく、プライスカードホルダーとは別にその上方で陳列棚の前面に装着してメッセージを呈示できると共に、装着状態のままでもプライスカードの交換が容易に行える陳列棚用カードホルダーを提供することにある。
【課題を解決するための手段】
【００１３】
上記目的を達成するため、本考案においては、下方領域が陳列棚側に差し込まれる長方形状の板状本体と、該板状本体の長手方向上縁に軟質合成樹脂製のヒンジ部を介してその長手方向上縁部が回動自在に連接された長尺状のカード保持部と、を備えた陳列棚用カードホルダーであって、板状本体は、中央高さ位置に長手方向に沿って設けられて前記差し込みのための下方領域が画定される突条部を有し、カード保持部は、長手方向の全幅にわたって上下端部でカードが挟み込まれる表側への折曲部と、裏面の長手方向に沿って突設され、カード保持部と対向する板状本体との間で予め定められた開度角で間隔を保持するスペーサーとを有し、さらにカード保持部は、スペーサーによる板状本体に対する間隔保持状態にて該カード保持部の下縁が、板状本体の突条部と同程度以上の高さに位置するものである。
【００１４】
以上の構成により、本考案のカードホルダーは、板状本体の下方領域を陳列棚の前端溝や既に前端溝に差し込まれている転び止め板あるいは他のプライスカードホルダーに設けられている転び止め壁部と仕切り板との間などの溝状部分に差し込むだけで容易に陳列棚の前面上方に装着することができる。この時、板状本体に長手方向に沿って設けられた突条部によって、下方の転び止め板やプライスカードホルダーの上端が当接し、必要以上に差し込まれることがなく、カード保持部が下方のプライスカードを大きく覆うこともない。下方領域を画定する突条部としては、下方の転び止め板やプライスカードホルダーの上端の当接状態が均一で安定した差し込み状態が得られるように、長手方向全幅にわたって連続的あるいは断続的に形成するのが望ましい。
【００１５】
また、カード保持部は、裏面に突設されたスペーサーによって板状本体に対して開いた角度をもって間隔が保持されるため、カード表示面をより水平に近い角度で呈示することができ、消費者が屈むことなく上方からの視線に対応して良好に商品の情報やメッセージを見せることができる。さらにカード保持部の開度は、カード保持部の下縁が、板状本体の突如得部と同程度以上の高さ位置となる設定によって、下方のプライスカードの視認を遮ることなく、特に中段、下段の陳列棚であっても、カード表示面を良好に呈示できる。
【００１６】
さらに、カード保持部は、軟質性のヒンジ部によって板状本体に対して上方に回動できるため、本カードホルダーが装着された状態のままでも、下方のプライスレールやプライスカードホルダーに挿入保持されているプライスカードの交換作業を容易に行える。
【００１７】
なお、前記スペーサーによって間隔が保持されるカード保持部の板状本体に対する開度角としては、５５〜６５°の範囲内とするのが好ましい。この下限より小さい開度角では、特に最下段の陳列棚に装着された際に、消費者が立ったままでカード表示面を視認するのが困難であり、その下方のプライスカードも上方領域が隠れてしまう。また、この範囲の上限を超えて水平に近くなり過ぎると、特に最上段の陳列棚に装着された際に表示面が読み難く、ある程度傾斜していることが望ましい。
【考案の効果】
【００１８】
本考案による陳列棚用カードホルダーは、陳列棚の前面端上方に容易に装着され、板状本体に対してカード保持部を所定の開度角で保持するため、下方のプライスレールやプライスカードホルダーに保持されているプライスカードの呈示を覆うことなく、その他の商品情報やメッセージが表示されたカードを見やすく呈示できるという効果がある。また、カード保持部が板状本体に対してヒンジ部を介して回動自在であるため、装着状態のままでも、下方のプライスカードの交換作業を容易にすることができる。
【図面の簡単な説明】
【００１９】
【図１】本考案の一実施形態による陳列棚用カードホルダーの概略構成を示す側面図であり、（ａ）はカード保持部の呈示位置状態、（ｂ）はカード保持部の回動状態をそれぞれ示す。
【図２】図１の陳列棚用カードホルダーの装着状態を陳列棚の前方から見た斜視図である。
【図３】図１に示した陳列棚用カードホルダーの別の装着状態を示す模式図であり、（ａ）は陳列棚の前方から見た斜視図、（ｂ）は側面図である。
【考案を実施するための形態】
【００２０】
本考案の一実施形態による陳列棚用カードホルダーを図１〜図３に示す。図１は前端溝２５への差し込みにより陳列棚２０の前面に本カードホルダー１が装着された状態を示す概略側面図であり、（ａ）はカード呈示状態、（ｂ）はカード保持部の上方回動状態をそれぞれ示す。図２は、図１（ａ）のカードホルダー１の装着呈示状態を陳列棚２０の前方から見た斜視図である。図３は別の装着状態を示すものであり、（ａ）は陳列棚２０の前方から見た斜視図、（ｂ）はその側面図である。
【００２１】
本実施形態における陳列棚用カードホルダー１は、透明な合成樹脂、例えばＡＢＳ樹脂（アクリロニトリル−ブタジエン−スチレン樹脂）製の板状本体２と、同じ透明な合成樹脂製のカード保持部６とが、互いに上縁部同士が軟質性合成樹脂のヒンジ部５を介して回動自在に連接されたものである。
【００２２】
本実施形態では、板状本体２は２０×３ｃｍの長方形状のものとした。カード保持部６はこれとほぼ同じ外形で約２０×３ｃｍの長方形状であるが、長手方向の全幅にわたって短手方向の中央が表面側に凸となるように緩やかに湾曲しており、また上下端部でカードが挟み込まれる表側への折曲部（７，８）が設けられている。
【００２３】
板状本体２には、短手方向の中央高さ位置に長手方向の全幅にわたって突条部４が連続的に突設されており、この突条部４によって、陳列棚への装着の際に差し込まれる下方領域３が画定される。
【００２４】
一方、カード保持部６の裏面には、カード保持部６と対向する板状本体２との間の開度角αを５５〜６５°として間隔を保持するスペーサー９が長手方向に沿って突設されている。このとき、カード保持部６の下縁は、突条部４と水平方向でほぼ同じ高さ位置となっている。
【００２５】
なお、本実施形態では、スペーサー９は、長手方向全幅にわたる連続した突条として設けたが、本考案ではこれに限定されるものではなく、カード保持部６と板状本体２との間で所定間隔を保持できるのであれば、長手方向両端部や中央位置などに１つ以上設けられた突部で構成できる。但し、長期使用の場合、後述するカード保持部６の回動が度重なって、スペーサー９が板状本体２に衝突する回数が多くなることを考慮した場合、強度的に複数個の突部あるいは長い領域にわたる突条部からスペーサー９を構成することが好ましい。
【００２６】
以上の構成を備えたカードホルダー１は、図１に示した陳列棚２０への装着方法として、前端面２１に設けられたプライスレール２２に沿って陳列棚２０の上面で開口する前端溝２５に、下方領域３が差し込まれる。もし、前端溝２５が下方領域３よりも深い場合であっても、突条部４によりそれ以上の差し込みは規制される。
【００２７】
このような下方領域３の前端溝２５への差し込みによって陳列棚２０の前面側にカードホルダー１が装着されても、図２に示すように、カード保持部６は、上記の如く広い開度角αに設定することによって、プライスレール２２の前方に垂れることなく、プライスレール２２の上下辺縁が折り曲げられた係止部（２３，２４）に保持されたプライスカード３０の視認を妨げることなく、自身のカード保持部６に保持されたポップカード１０の表示面を良好に呈示することができる。
【００２８】
そして、下方のプライスカード３０を交換する際には、図１（ｂ）に示すように、カード保持部６のみを、ヒンジ部５を中心に上方に回動させれば、カードホルダー１を取り外さすことなく装着状態のままでも、交換作業を支障なく行うことができる。
【００２９】
また、陳列棚２０の前端溝２５に限らず、溝状の部分であれば下方領域３を差し込むんでカードホルダー１を容易に装着できる。例えば、より大きく価格等を表示したい場合には、図３に示すような、プライスレール２２の上下幅より大きなプライスカードを呈示できるプライスカードホルダー４０が陳列棚２０に装着されている。
【００３０】
このようなプライスカードホルダー４０は、陳列棚２０の前端溝２５に差し込まれる板状本体４１の上下幅を大きくすることで、カード保持部の上下幅も大きくなり、大きなプライスカード３０を挿入して呈示できる。したがって、前端溝２５に差し込まれた板状本体４１は立ち上がりも大きく、商品の転び止めとしても機能する。
【００３１】
その他、単なる転び止め板が前端溝２５に差し込まれることもるが、このような転び止めの後方には、仕切り板５０が設置されることも多い。従って、図３（ｂ）に示すように、転び止め板やプライスカードホルダー４０の板状本体４１と仕切り板５０との間に僅かな溝状部６０が形成される。本実施形態によるカードホルダー１は、この溝状部６０に下方領域３を差し込んでも装着することができる。
【００３２】
そして、この装着状態にて、上記の開度角αの設定によって、ポップカード１０の表示面を、既存のプライスカードホルダー４０の垂れ角度よりもより水平に近く角度で呈示できるため、下方の大きなプライスカード３０を遮ることなくその上方でポップカード１０を良好に呈示できる。このような呈示角度は、陳列棚２０が中段以下の、たとえ最下段であっても、上方からポップカード１０の表面が視認しやすく、商品の訴求にとってより効果的である。
【００３３】
また、陳列棚２０に装着される既存プライスカードホルダーには様々な形態のものがあり、それ自体の後方に溝状の差し込み部が形成されていれば、仕切り板５０との間でなくても、その差し込み部を利用して本カードホルダー１を装着することができる。
【００３４】
いずれにしても、本実施形態による陳列棚用カードホルダー１は、下方領域３を差し込める状態のものが存在していれば、様々な状況において、容易にプライスカードの上方で陳列棚２０の前面部に装着でき、商品の情報やメッセージを常に良好に呈示できる。
【符号の説明】
【００３５】
１：陳列棚用カードホルダー
２：板状本体
３：下方領域
４：突条部
５：ヒンジ部
６：カード保持部
７：上折曲部
８：下折曲部
９：スペーサー
１０：ポップカード
２０：陳列棚
２１：前端面
２２：プライスレール
２３，２４：係止部
２５：前端溝
３０：プライスカード
４０：プライスカードホルダー
４１：本体
５０：仕切り板
６０：溝状部
【図１】
0003201130.tif 000003
【図２】
0003201130.tif 000004
【図３】
0003201130.tif 000005